(57)【要約】【課題】使い易く単純な操作でマッサージすることのできるフェイス用マッサージ具を提供する。【解決手段】ハンドル１０に、その先端から前方に延びる一対の第一弾性アーム１２、１２と、その一対の第一弾性アーム１２、１２の間に配置した第二弾性アーム３２とを設け、一対の第一弾性アーム１２の先端にサイドローラ１４を回転可能に設け、第二弾性アーム３２の先端にセンターローラ３４を回転可能に設ける。ハンドル１０を手で持ってサイドローラ１４とセンターローラ３４を顔に押し付け、弾性変形させて開かせた一対の第一弾性アーム１２、１２の弾性復元力によりサイドローラ１４が両頬を挟み、弾性変形させて押し下げた第二弾性アーム３２の弾性復元力によりセンターローラ３４が顎を押し付ける。このため、単純な操作で楽にマッサージすることができる。【選択図】図１
0003131494.tif 000002
【実用新案登録請求の範囲】
【請求項１】
ハンドル(１０)に、そのハンドル(１０)の一端から前方に延びる一対の第一弾性アーム(１２)と、その一対の第一弾性アーム(１２)の間に配置した第二弾性アーム(３２)とを設け、前記第一弾性アーム(１２)に、これらを含む平面Ｐに直交した第一軸(１３)と、その軸で回転可能に支持したサイドローラ(１４)とを設け、前記第二弾性アーム(３２)に、その第二弾性アーム(３２)の長手方向に直交する方向、かつ前記平面Ｐと平行に設けた第二軸(３３)と、その軸で回転可能に支持したセンターローラ(３４)とを設け、
前記ハンドル(１０)を手で持って前記サイドローラ(１４)と前記センターローラ(３４)を顔に押し付け、前記一対の第一弾性アーム(１２)を弾性変形させて開かせて前記サイドローラ(１４)で両頬を挟み、前記第二弾性アーム(３２)を弾性変形させて押し下げて前記センターローラ(３４)を顎に押し付けるようにしたフェイス用マッサージ具。
【請求項２】
前記サイドローラ(１４)を、直列配置にして複数個設けた請求項１に記載のフェイス用マッサージ具。
【請求項３】
前記サイドローラ(１４)および前記センターローラ(３４)は、その外周面に複数の突起(２１)、(３８)を有する請求項１または２に記載のフェイス用マッサージ具。
【請求項４】
前記ハンドル(１０)は、第一ハンドル部(１１)と第二ハンドル部(３１)とを相互に着脱自在に嵌め合わせたものであり、前記第一ハンドル部(１１)に、その第一ハンドル部(１１)の一端から前方に延びる前記一対の第一弾性アーム(１２)を設け、前記第二ハンドル部(３１)に前記第二弾性アーム(３２)を設けた請求項１から３のいずれかに記載のフェイス用マッサージ具。
【考案の詳細な説明】
【技術分野】
【０００１】
この考案は、あごやほほなどを刺激して顔の弛みなどを解消するローラを備えたフェイス用マッサージ具に関するものである。
【背景技術】
【０００２】
人の顔は加齢とともに変化し、ある一定の年齢を超えると、あごに弛みが生じていわゆる二重あごになったり、ほほなどの筋肉や頭皮に緩みが生じたりする。
【０００３】
特に、顔の表層にある表情筋は、皮膚を動かして表情をつくり、すべて顔面神経によって支配されている。この表情筋上の皮下組織に脂肪がたまると、その脂肪を支える表情筋が衰えていれば脂肪は垂れ落ち、ほほのたるみや首のしわが発生する。
【０００４】
このため、女性を中心として、顔や首に対するマッサージの関心は高まってきており、あごやほほなどの表情筋に張りを与え、顎の輪郭を引き締めるフェイス用マッサージ具が使用されている。このフェイス用マッサージ具として、細長い板状のハンドルの先端にローラ取り付け軸を設け、そのローラ取り付け軸の両端部に弾性を有する円筒状のローラをそれぞれ回転可能に取り付けたものが提案されている（たとえば、特開２０００−２４０６５号公報  図１参照）。
【０００５】
このフェイス用マッサージ具で顔や首をマッサージするには、ハンドルを手で持ち、２つのローラの内側側面部を顎の輪郭に押し当て、ローラの間で顎の表情筋を挟みながら、頬に沿ってハンドルを往復するように移動させる。ハンドルを移動させることにより、ローラに頬の皮膚を追従させ、ローラの回転運動で頬の表情筋を挟みながら伸ばすことができる。
【考案の開示】
【考案が解決しようとする課題】
【０００６】
しかし、従来のフェイス用マッサージ具は、使用者がハンドルを手で持って、ローラを自分の力で頬や顎に押し付けながら転がす必要があり、操作が面倒で使いづらく、しかも手が疲れるなどの問題があった。
【０００７】
そこで、この考案は、使い易く単純な操作でマッサージすることのできるフェイス用マッサージ具を提供することを課題とする。
【課題を解決するための手段】
【０００８】
上述の課題を解決するために、この考案は、ハンドルに、そのハンドルの一端から前方に延びる左右一対の第一弾性アームと、その一対の第一弾性アームの間に配置した第二弾性アームとを設け、前記第一弾性アームに、これらを含む平面Ｐに直交した第一軸と、その軸で回転可能に支持したサイドローラとを設け、前記第二弾性アームに、その第二弾性アームの長手方向に直交する方向、かつ前記平面Ｐと平行に設けた第二軸と、その軸で回転可能に支持したセンターローラとを設け、前記ハンドルを手で持って前記サイドローラと前記センターローラを顔に押し付け、前記一対の第一弾性アームを弾性変形させて開かせて前記サイドローラで両頬を挟み、前記第二弾性アームを弾性変形させて押し下げて前記センターローラを顎に押し付けるようにした構成を採用したのである。
【０００９】
このようにすれば、弾性変形させて開かせた一対の第一弾性アームの弾性復元力によりサイドローラが両頬を挟み、さらに、弾性変形させて押し下げた第二弾性アームの弾性復元力によりセンターローラが顎を押し付ける。このため、使用者が自分の力でローラを頬や顎に押し付ける必要がなく、使い易く単純な操作でマッサージすることができる。
【００１０】
また、サイドローラの回転によるマッサージの効果が高めるために、前記サイドローラを、直列配置にして複数個設けるようにしてもよい。さらに、前記サイドローラおよび前記センターローラは、その外周面に複数の突起を有するものとすれば、このサイドローラおよびセンターローラの回転に伴いその各突起が両頬の表面を順次押し付けるので、その両頬の表面に対して押し付け力の強弱が得られる。
【００１１】
さらに、前記ハンドルは、第一ハンドル部と第二ハンドル部とを相互に着脱自在に嵌め合わせたものであり、前記第一ハンドル部に、その第一ハンドル部の一端から前方に延びる前記一対の第一弾性アームを設け、前記第二ハンドル部に前記第二弾性アームを設けた構成を採用することができる。
【００１２】
ハンドルは、第一ハンドル部と第二ハンドル部とを嵌め合わせたものであるので、このハンドルを第一、第二ハンドル部に分ければ、その第一ハンドル部に設けた一対の第一弾性アームのサイドローラによる両頬へのマッサージと、第二ハンドル部に設けた第二弾性アームのセンターローラによる顎のマッサージとをそれぞれ独立して行うことができる。
【考案の効果】
【００１３】
以上のように、この考案は、第一、第二弾性アームの弾性復元力により、サイドローラ、センターローラが頬や顎を押し付けるようにしたので、使用者は単にハンドルを手で持って押し引きすればよく、操作が簡単で楽にマッサージすることができる。
【００１４】
また、第一弾性アームのサイドローラで両頬を挟みながら、第二弾性アームのセンターローラで顎を押し付けることができるので、頬と顎を同時にマッサージすることもできる。
【考案を実施するための最良の形態】
【００１５】
以下、この考案の実施形態を図１〜図６に示す。この実施形態のフェイス用マッサージ具は、図１、図２に示すように、ハンドル１０に、そのハンドル１０の一端から前方に延びる一対の第一弾性アーム１２、１２と、その一対の第一弾性アーム１２、１２の間に配置した第二弾性アーム３２とを設け、その第一弾性アーム１２に第一軸１３で回転可能に支持したサイドローラ１４を設け、第二弾性アーム３２に第二軸３３で回転可能に支持したセンターローラ３４とを設けたものである。
【００１６】
前記ハンドル１０は、図２（ａ）、（ｂ）に示すように、第一ハンドル部１１と第二ハンドル部３１を相互に着脱可能に嵌め合わせることにより構成され、第一ハンドル部１１に、その第一ハンドル部１１の一端から前方に延びる前記一対の第一弾性アーム１２を設け、第二ハンドル部３１に前記第二弾性アーム３２を設けたものである。
【００１７】
前記第一ハンドル部１１は、合成樹脂製の板状体であり、図３（ａ）〜（ｄ）に示すように、その一端から前方に延びる一対の第一弾性アーム１２、１２が設けられ、一方の側面に嵌合溝１５が設けられたものである。その嵌合溝１５の底面には凹部１６が設けられ、この凹部１６の他端部が第一ハンドル部１１の他方の側面の他端部に設けた差込穴１７とつながり、その差込孔１７の底面（嵌合溝１５の底面の裏面）に突起１８が設けられる（図３（ｂ）参照）。また、図３（ｃ）に示すように、前記嵌合溝１５の開口縁部が一端部側に延び出した係合凸部１９が形成される。
【００１８】
また、第二ハンドル部３１は合成樹脂製の板状体であり、その厚みが前記第一ハンドル部１１の嵌合溝１５の開口幅と同じ厚みに形成され、その厚み方向の中央に長さ方向に延びる突条３５を有するものである。この突条３５は、第二ハンドル部３１の両側面を凹ませることにより形成され、その厚みが前記第一ハンドル部１１の凹部１６に嵌る厚みとなっている（図３（ｄ）参照）。この突条３５の他端部に、第一ハンドル部１１の突起１８に係合する係止片３６が設けられ、一端部には、第二ハンドル部３１と同じ幅の段部３７が形成されている。
【００１９】
第一、第二ハンドル部１１、３１を上述のように形成することにより、第一ハンドル部１１の嵌合溝１５に第二ハンドル部３１を、突条３５を凹部１６に嵌めた状態で、長さ方向にスライドさせながら嵌め合わせることができる。この嵌め合わせにより、図３（ｂ）、（ｃ）に示すように、第二ハンドル部３１の係止片３６が、第一ハンドル部１１の差込穴１７に差し込まれ突起１８に相互に噛み合い、さらに、第二ハンドル部３１の段部３７が、第一ハンドル部１１の係合凸部１９に係合する。
【００２０】
このようにして、図２に示すように、第一ハンドル部１１と第二ハンドル部３１とが相互に着脱可能に嵌め合わせられ、相互に嵌め合わせた第一、第二ハンドル部１１、３１によりハンドル１０が構成される。
【００２１】
第一ハンドル部１１に設けられる一対の第一弾性アーム１２は、図４に示すように、弾性を有する合成樹脂製の棒状体を屈曲させて成形され、第一ハンドル部１１の一端部から前方に互いに離れる向きに湾曲しながら延び、中間部を経て、先端部に向かって互いに接近するように形成される。
【００２２】
この一対の第一弾性アーム１２、１２を互いに閉じる方向または開く方向に力を作用させない自然状態では、第一弾性アーム１２の先端部が所定の間隔をもって開いた状態となっている。この状態から後述するサイドローラ１４を頬に押し付け、弾性変形させて開かせると、一対の第一弾性アーム１２、１２の弾性復元力によりサイドローラ１４が両頬を挟むように押し付ける。
【００２３】
この各第一弾性アーム１２、１２の先端部には、図２（ａ）に示すように、第一軸１３が一対の第一弾性アーム１２を含む面Ｐに対して直交するように設けられる。その第一軸１３は、図５（ａ）に示すように、直列配置にした３個の円筒状のサイドローラ１４を回転可能に支持し、これらのサイドローラ１４の抜け落ちを防止するために、両端部に抜け止め２０が設けられている。
【００２４】
この各サイドローラ１４は、その外周面に先端が半球状の突起２１が所定間隔をもって複数設けられたものである。なお、図５に示す突起２１の数は５個に設けられたものであるが、これに限らず、サイドローラ１４の回転がスムーズに行われる限りにおいて、３個、４個、６個・・等と任意である。また、サイドローラ１４を、例えば、五角柱に形成してもよく、三角柱、四角柱、六角柱、・・等と多角柱に形成してもよい。要は、サイドローラ１４の回転がスムーズに行うことができるものであればよい。このように、サイドローラ１４が多角柱に形成されると、前述の突起２１の代わりにこの多角柱の角部分によって頬を指圧することができるからである。
【００２５】
一方、第二ハンドル部３１に設けられる第二弾性アーム３２は、図４に示すように、弾性を有する合成樹脂製の棒状体を屈曲させて成形され、第二ハンドル部３１の突条３５を上向きに配置した状態で、第二ハンドル部３１の一端部から上向きに延び出し、中間部を経て、先端部に向かって下向きに形成される（図２（ａ）参照）。このように、先端部に向かって下向きに形成されていれば、センターローラ３４を顎に押し付けると、第二弾性アーム３２が下向きに弾性変形し、その第二弾性アーム３２の弾性復元力によりセンターローラ３４が顎を押し付ける。
【００２６】
この第二弾性アーム３２の先端部は、図５（ｂ）に示すように、その二股状をなし、その二股部分の間に第二軸３３が設けられている。この第二軸３３は、第一ハンドル部１１と第二ハンドル部３１とを相互に嵌め合わせた状態で、第二弾性アーム３２の長手方向に直交する方向、かつ平面Ｐと平行に設けられ、さらに、サイドローラ１４よりも下方に設けられている（図２（ａ）参照）。
【００２７】
この第二軸３３により円筒状のセンターローラ３４が回転可能に支持され、このセンターローラ３４は弾性を有する合成樹脂製であり、先端が半球状となっている突起３８が複数設けられたものである。この突起３８はセンターローラ３４の径方向外向きの４箇所に設けられ、この４箇所の突起３８が、センターローラ３４の長さ方向に周方向４５度ずつずれた状態に等間隔で配置されている。
【００２８】
なお、この突起３８は、センターローラ３４の一断面において４箇所設けられているが、これに限らず、センターローラ３４の転動がスムーズに行われる限りにおいて、３箇所、５箇所、６箇所・・等と任意である。
【００２９】
以上のように、この実施形態のフェイス用マッサージ具は構成され、次にその使用方法を説明する。
まず、第一ハンドル部１１と第二ハンドル部３１とを、一対の第一弾性アーム１２の間に第二弾性アーム３２を配置する状態で嵌め合わせて、ハンドル１０とする。このハンドル１０を手で持ち、一対の第一弾性アーム１２のサイドローラ１４を両頬に当てがい、第二弾性アーム３２のセンターローラ３４を顎に当てがう。
【００３０】
次に、サイドローラ１４およびセンターローラ３４を両頬、顎に当てがった状態で、ハンドル１０を顔に近づけるように動かす。ハンドル１０を動かすことにより、図６（ａ）に示すように、一対の第一弾性アーム１２を弾性変形させて開かせ、第二弾性アーム３２を弾性変形させて押し下げる。
【００３１】
弾性変形させて開かせた一対の第一弾性アーム１２、１２の弾性復元力によりサイドローラ１４が両頬を挟み、さらに、弾性変形させて押し下げた第二弾性アーム３２の弾性復元力によりセンターローラ３４が顎を押し付ける。
【００３２】
このため、このフェイス用マッサージ具は、使用者が自分の力でサイドローラ１４およびセンターローラ３４を頬や顎に押し付ける必要がないので使い易い。また、ハンドル１０を顔に近づけたり、離したりするという単純な操作でマッサージすることができる。
【００３３】
また、第一弾性アーム１２、１２のサイドローラ１４で両頬を挟みながら、第二弾性アーム３２のセンターローラ３４で顎を押し付けることができるので、頬と顎を同時にマッサージすることもできる。
【００３４】
さらに、ハンドル１０を構成する第一ハンドル部１１と第二ハンドル部３１とを外し、図６（ｂ）に示すように、第二ハンドル部３１のセンターローラ３４を、まぶたの上や目の下、おでこなどの使用者の気になる部分に当てがい、マッサージすることができる。
【図面の簡単な説明】
【００３５】
【図１】実施形態のフェイス用マッサージ具を示す斜視図
【図２】（ａ）同上のフェイス用マッサージ具を示す側面図、（ｂ）同上のフェイス用マッサージ具を示す上面図
【図３】（ａ）同上のハンドルを示す一部切り欠き上面図、（ｂ）図３（ａ）のｘ−ｘ線の一部切り欠き断面図、（ｃ）図３（ａ）のｙ−ｙ線の一部切り欠き断面図、（ｄ）（ａ）のｚ−ｚ線の断面図
【図４】（ａ）同上のフェイス用マッサージ具を示す分解斜視図
【図５】（ａ）同上の第一弾性アーム軸の先端部分を示す一部切り欠き断面図、（ｂ）同上の正面図
【図６】（ａ）同上のマッサージ具の使用状態を示す斜視図、（ｂ）同上のセンターローラを単独で使用する状態を示す斜視図
【符号の説明】
【００３６】
１０  ハンドル
１１  第一ハンドル部
１２  第一弾性アーム
１３  第一軸
１４  サイドローラ
１５  嵌合溝
１６  凹部
１７  差込穴
１８  突起
１９  係合凸部
２０  抜け止め
２１  突起
３１  第二ハンドル部
３２  第二弾性アーム
３３  第二軸
３４  センターローラ
３５  突条
３６  係止片
３７  段部
３８  突起
【図１】
0003131494.tif 000003
【図２】
0003131494.tif 000004
【図３】
0003131494.tif 000005
【図４】
0003131494.tif 000006
【図５】
0003131494.tif 000007
【図６】
0003131494.tif 000008